(57)【要約】【課題】  ハウジングを傷つけることなくハウジングからオイルシールを簡単に取り外すことができ、オイルシールを短時間で取り外すことができるオイルシール取り外し用工具を提供する。【解決手段】  本考案のオイルシール取り外し用工具１０は、オイルシール１のオイル側のリング状側面と所定の幅をもって係合する鉤部１１Ａを先端に有すると共に末端から鉤部１１Ａに向けて形成された雄ねじ部１１Ｂを有する棒状部材１１と、棒状部材１１の雄ねじ部１１Ｂと螺合し且つ棒状部材１１での鉤部１１Ａとの距離を設定する距離設定部材１２と、距離設定部材１２と鉤部１１Ａとの間に配置して棒状部材１１に設けられた移動筒１３と、を備えている。【選択図】図３
0003184691.tif 000002
【実用新案登録請求の範囲】
【請求項１】
ハウジングの軸孔の内周面と上記軸孔に装着された軸部材の外周面との間に介在するオイルシールを上記ハウジングから取り外すための工具であって、上記工具は、上記ハウジングに装着された上記オイルシールのオイル側のリング状側面と係合する鉤部を先端に有すると共に末端から上記鉤部に向けて形成された雄ねじ部を有する棒状部材と、上記雄ねじ部と螺合し且つ上記棒状部材での上記鉤部との距離を設定する距離設定部材と、上記距離設定部材と上記鉤部との間に配置して上記棒状部材の外周面との間に隙間を介して移動自在に設けられた移動筒と、を備え、上記鉤部が上記オイルシールの上記オイル側のリング状側面と係合する状態で上記移動筒が上記棒状部材に沿って移動して上記距離設定部材に衝突し、その時の衝撃力で上記オイルシールを上記ハウジングから取り外すことを特徴とするオイルシール取り外し用工具。
【請求項２】
上記棒状部材は、先端に上記鉤部が所定の幅をもって形成された細長形状の板状部と、上記雄ねじ部が形成された丸棒状部と、を有し、上記板状部の末端と上記丸棒状部の先端が接続されていることを特徴とする請求項1に記載のオイルシール取り外し用工具。
【考案の詳細な説明】
【技術分野】
【０００１】
本考案は、ハウジングに装着されたオイルシールを簡単且つ短時間に取り外すことができるオイルシール取り外し用工具に関するものである。
【背景技術】
【０００２】
オイルシールは、例えば産業機械の回転部分に使用され、潤滑油等のオイル漏れを防止すると共に外部からの異物の侵入を防止する機能をもっている。オイルシール１は、例えば図４に示すようにハウジング２の軸孔２Ａ内に回転自在に装着された回転軸３とハウジング２の軸孔２Ａの大径部２Ｂの間に装着されている。図４に示すように軸孔２Ａの内周面と回転軸３の外周面との間には隙間δがあり、この隙間δに潤滑油等のオイル（以下、単に「オイル」と称す。）Ｏが封入されている。オイルシール１は、軸孔２Ａの入口に形成された軸孔２Ａの大径部２Ｂに装着され、軸孔２Ａからのオイル漏れを防止している。ハウジング２の端面には回転軸を囲む固定板４がボルト５によって取り付けられている。従って、ハウジング２内が加圧されていても、オイルシール１は固定板４を介してハウジング２の大径部２Ｂ内に保持され、ハウジング２からのオイル漏れを確実に防止することができる。
【０００３】
オイルシール１は、例えば図４に示すように、断面がＬ字状の金属リング１Ａと、金属リング１Ａを包み込むと共にハウジング２に軸孔２Ａと回転軸３の隙間δからのオイル漏れを防止する樹脂製のシールリング１Ｂと、シールリング１Ｂの全周を回転軸３の外周面に弾力的に締め付けて接触させるコイルばね１Ｃと、を備えている。シールリング１Ｂは、回転軸３の外周面に接触するシールリップ部１Ｂ１と、シールリップ部１Ｂ１と同様に回転軸３の外周面に接触し、外部からハウジング２内へダスト等の異物の侵入を防止するダストリップ部１Ｂ２と、大径部１Ｃの内周面に接触する嵌め合い部１Ｂ３とからなり、コイルばね１Ｃはシールリップ部１Ｂ１の回転軸３との非接触側の溝内に装着されている。
【０００４】
オイルシール１は、消耗品であり、必要に応じて交換しなくてはならない。その場合、ハウジング２からオイルＯを抜き取った後、ボルト５をハウジング２から外して固定板４をハウジング２から取り外す。引き続き、ハウジング２から回転軸３を抜き取る。その後、たがねやバール等の工具を用いてオイルシール１をハウジング２から取り外している。
【考案の概要】
【考案が解決しようとする課題】
【０００５】
しかしながら、オイルシール１を取り外すために、たがねやバールを用いると、たがねやバールを丁寧に扱ってもたがねやバールでハウジング１内の大径部１Ｂや軸孔２Ａを傷つける虞がある。軸孔２Ａ及び大径部２Ｂは、精密に機械加工されているため、これらの部分に一旦傷をつけてしまうとシール機能が損なわれ、補修しなければその後の使用が難しくなる。
【０００６】
本考案は、上記課題を解決するためになされたもので、ハウジングを傷つけることなくハウジングからオイルシールを簡単且つ短時間に取り外すことができるオイルシール取り外し用工具を提供することを目的としている。
【課題を解決するための手段】
【０００７】
本考案の請求項１に記載のオイルシール取り外し用工具は、ハウジングの軸孔の内周面と上記軸孔に装着された軸部材の外周面との間に介在するオイルシールを上記ハウジングから取り外すための工具であって、上記工具は、上記ハウジングに装着された上記オイルシールのオイル側のリング状側面と係合する鉤部を先端に有すると共に末端から上記鉤部に向けて形成された雄ねじ部を有する棒状部材と、上記雄ねじ部と螺合し且つ上記棒状部材での上記鉤部との距離を設定する距離設定部材と、上記距離設定部材と上記鉤部との間に配置して上記棒状部材の外周面との間に隙間を介して移動自在に設けられた移動筒と、を備え、上記鉤部が上記オイルシールの上記オイル側のリング状側面と係合する状態で上記移動筒が上記棒状部材に沿って移動して上記距離設定部材に衝突し、その時の衝撃力で上記オイルシールを上記ハウジングから取り外すことを特徴とするものである。
【０００８】
また、本考案の請求項２に記載のオイルシール取り外し用工具は、請求項１に記載の考案において、上記棒状部材は、先端に上記鉤部が所定の幅をもって形成された細長形状の板状部と、上記雄ねじ部が形成された丸棒状部と、を有し、上記板状部の末端と上記丸棒状部の先端が接続されていることを特徴とするものである。
【考案の効果】
【０００９】
本考案によれば、ハウジングを傷つけることなくハウジングからオイルシールを簡単且つ短時間に取り外すことができるオイルシール取り外し用工具を提供することができる。
【図面の簡単な説明】
【００１０】
【図１】（ａ）、（ｂ）はそれぞれ本考案のオイルシール取り外し用工具の一実施形態を示す図で、（ａ）はその平面図、（ｂ）はその一部を破断して示す側面図である。
【図２】（ａ）、（ｂ）はそれぞれ図１に示すオイルシール取り外し用工具を用いてオイルシールを取り外す工程を示す図で、（ａ）はハウジングから固定板及び回転軸を取り外した状態を示すハウジング要部の断面図、（ｂ）は図１に示すオイルシール取り外し用工具を用いてハウジングからオイルシールを取り外す状態を示すハウジングの要部断面を含む側面図である。
【図３】（ａ）、（ｂ）はそれぞれ図２の（ａ）、（ｂ）に示す工程に続く工程を示す図で、（ａ）は図１に示すオイルシール取り外し用工具に付与された衝撃力でオイルシールをハウジングから取り外す状態を示すハウジングの要部断面を含む側面図、（ｂ）はオイルシールを取り外した後のオイルシール及びハウジングを示す断面図である。
【図４】オイルシールが装着されたハウジングの一例を示す断面図である。
【考案を実施するための形態】
【００１１】
以下、図1〜図３を参照しながら本実施形態のオイルシール取り外し用工具について説明する。尚、オイルシール及びハウジングについては図４と同一の符号を付して説明する。
【００１２】
本実施形態のオイルシール取り外し用工具（以下、単に「工具」と称す。）１０は、例えば図1の（ａ）、（ｂ）に示すように、オイルシール１のオイルに接する側のリング状側面（以下、単に「オイル側のリング状側面」と称す。）と所定の幅をもって係合する鉤部１１Ａを先端に有すると共に末端から鉤部１１Ａに向けて形成された雄ねじ部１１Ｂを有する棒状部材１１と、棒状部材１１の雄ねじ部１１Ｂと螺合し且つ棒状部材１１での鉤部１１Ａとの距離を設定する距離設定部材１２と、距離設定部材１２と鉤部１１Ａとの間に配置して棒状部材１１の外周面との間に隙間を介して移動自在に設けられた移動筒１３と、を備え、ハウジング２の大径部２Ｂの内周面と回転軸３の外周面との間に介在するオイルシール１をハウジング２から引き剥がして取り外すために用いられる。工具１０の各部材は、いずれも金属によって形成され、特に移動筒１３は、距離設定部材１２に衝突して衝撃力を付与する錘として形成されている。
【００１３】
而して、棒状部材１１は、図１の（ａ）、（ｂ）に示すように、先端に略Ｌ字状の鉤部１１Ａが形成された細長形状の板状部１１Ｃと、雄ねじ部１１Ｂが形成された丸棒状部１１Ｄと、を有し、板状部１１Ｃの末端と丸棒状部１１Ｄの先端が接続された一体物として形成されている。図１の（ｂ）では雄ねじ部１１Ｂは丸棒状部１１Ｄの末端から全長の中ほどまで形成されているが、丸棒状部１１Ｄ全長に亘って形成されたものであっても良い。鉤部１１Ａは、板状部１１Ｃからの延長端が刃物のように形成され、オイルシール１のオイル側のリング状側面に例えばボールベアリング等の部材が接触するように固定されている場合でも鉤部１１Ａの刃物状の延長端がオイルシール１とボールベアリング等の部材との間に差し込めるようになっている。
【００１４】
距離設定部材１２は、図１の（ａ）、（ｂ）に示すように、例えば大小三枚の円板１２Ａと２個のナット１２Ｂからなり、棒状部材１１の雄ねじ部１１Ｂに沿って左右に調節し、鉤部１１Ａとの距離を適宜設定し、移動筒１３の衝突にして距離設定部材１２に衝撃力を付与し、もって鉤部１１Ａからオイルシール１に衝撃力を付与するようになっている。この距離設定部材１２は、例えば三枚の円板と少なくとも一個のナットは一体物として形成され、他のナット１２Ｂが分離している。三枚の円板１２Ａと一つのナット１２Ｂが一体物として棒状部材１１の雄ねじ部１１Ｂに沿って左右に調節して雄ねじ部１１Ｂ上で適宜位置決めされ、その位置まで他のナット１２Ｂを進めて距離設定部材１２として雄ねじ部１１Ｂに固定される。つまり、一個の分離したナット１２Ｂは、距離設定部材１２を雄ねじ部１１Ｂを設定位置に固定する機能を有している。三枚の円板１２Ａの中心には棒状部材１１が挿入される中央孔が形成されており、この中央孔には雄ねじ部１１Ｂと螺合する雌ねじ部があっても良く、また、雌ねじ部はなくても良い。三枚の円板１２Ａは、雄ねじ部１１Ｂでナット１２Ｂと一体化している。
【００１５】
移動筒１３は、図１の（ａ）、（ｂ）に示すように、第１の錘筒１３Ａとこれと一体化した第２の錘筒１３Ｂとからなる一体化した錘であり、オイルシール１をハウジング２から取り外す時に、棒状部材１１上で予め位置決めされた距離設定部材１２に衝突して鉤部１１Ａを介してオイルシール１に衝撃力を付与する機能を有している。移動筒１３による衝撃力が鉤部１１Ａを介してオイルシール１に作用し、オイルシール１がハウジング２から取り外される。第１の錘筒１３Ａは、図１の（ｂ）に示すように第２の錘筒１３Ｂと同一の内径を有し、その内径が棒状部材１１の外径より大径に形成されている。従って、棒状部材１１が移動筒１３の貫通孔に隙間をもって貫通し、移動筒１３がスピードを付けて棒状部材１１に沿って移動するようになっている。第１の錘筒１３Ａは、外径が第２の錘筒１３Ｂの外径より大径に形成され、第２の錘筒１３Ｂより肉厚に形成されている。移動筒１３は、棒状部材１１に沿って移動して距離設定部材１２に衝突し、オイルシール１をハウジング２から取り外す衝撃力を付与する重量を有している。移動筒１３は、距離設定部材１２との距離が長いほど棒状部材１１に沿って高速で移動し距離設定部材１２に衝突し、この時の衝撃力で鉤部１１Ａと係合するオイルシール１をハウジング２から取り外すことができる。移動筒１３は、必要に応じて重量を適宜調節することができる。
【００１６】
次いで、本実施形態の工具１０の使用方法について図２、図３を参照しながら説明する。
【００１７】
オイルシール１をハウジング２から取り外すには、まず、図２の（ａ）に示すようにハウジング２からオイルを抜くと共に回転軸３（図４参照）を抜き取った後、固定板４（図４参照）をハウジング１から取り外し、オイルシール１をハウジング２から取り外せる状態にする。オイルシール１は嵌め合い部１Ｂ３がハウジング２の大径部２Ｂの内周面に強固に密着しているため、素手ではオイルシール１を取り外すことができない。
【００１８】
そこで、オペレータが図１の（ａ）、（ｂ）に示す工具１０を用いてオイルシール１をハウジング２から取り外す。この際、距離設定部材１２が棒状部材１１の雄ねじ部１１Ｂの適宜の位置に固定され、距離設定部材１２と鉤部１１Ａとの間に所定の距離が形成されている。これにより距離設定部材１２とオイルシール１の間に移動筒１３の移動距離が確保される。
【００１９】
次いで、二人のオペレータが距離設定部材１２の位置が調節された工具１０を用いてオイルシール１をハウジング２から取り外す。それには、工具１０の鉤部１１Ａをハウジング２の軸孔２Ａの入り口にそれぞれ挿入され、図２の（ｂ）に示すように鉤部１１Ａがオイルシール１のシールリップ部１Ｂ１を包み込むように係合されると共に、移動筒１３がオイルシール１との接触位置まで移動される。その後、図２の（ｂ）に示すように移動筒１３が棒状部材１１に沿って矢印で示すように距離設定部材１２に向かってスピードをもって動き距離設定部材１２と衝突する。これにより鉤部１１Ａからオールシール１に衝撃力が付与される。この際、二つの工具１０が同時に操作される。
【００２０】
オイルシール１が衝撃力をうけると、図３の（ａ）に示すようにオイルシール１がハウジング２の大径部２Ｂから外方へ移動し、図３の（ｂ）に示すようにオイルシール１がハウジング２から一気に外れる。工具１０の一度の操作でオイルシール１がハウジング２から外れない場合には、移動筒１３が上述のように棒状部材１１に沿って何度も前後に動き距離設定部材１２へ衝突することによりオイルシール１がハウジング２から取り外される。
【００２１】
以上説明したように本実施形態によれば、工具１０を用いてオイルシール１をハウジング２から取り外す際に、棒状部材１１上での距離設定部材１２の位置を設定した後、オイルシール１のシールリップ部１Ｂ１を包み込むように鉤部１１Ａをシールリップ部１Ｂ１に当接させ、移動筒１３を距離設定部材１２に向けて棒状部材１１に沿って何度も前後に動かし距離設定部材１２に衝突すると、この時の衝撃力でオイルシール１が鉤部１１Ａを介してハウジング２から取り外される。一度の操作でオイルシール１を取り外せない時には、工具１０に対する同一の操作を繰り返すことでオイルシール１をハウジング２から確実に取り外すことができる。この際、工具１０の鉤部１１Ａがハウジング２の軸孔２Ａに当たることがないため、ハウジング２の軸孔２Ａ及び大径部２Ｂを傷つけることなく、しかも短時間でオイルシール１をハウジング２から確実に取り外すことができる。
【００２２】
尚、本考案は、上記実施形態に何ら制限されるものではなく、必要に応じて各構成要素を適宜設計変更することができる。
【産業上の利用可能性】
【００２３】
本考案のオイルシール取り外し用工具は、オイルシールが装着されたハウジングの全てに適用することができる。
【符号の説明】
【００２４】
１    オイルシール
２    ハウジング
１０    オイルシール取り外し用工具
１１    棒状部材
１１Ａ  鉤部
１１Ｂ  雄ねじ部
１１Ｃ  板状部
１１Ｄ  丸棒状部
１２    距離設定部材
１３    移動筒
【図１】
0003184691.tif 000003
【図２】
0003184691.tif 000004
【図３】
0003184691.tif 000005
【図４】
0003184691.tif 000006